(57)【要約】  液晶表示パネル５と、液晶表示パネル５の表示面側に設けられ、当該液晶表示パネル５の表示領域よりも広いタッチ操作領域を有するタッチパネル３と、タッチ操作領域における表示領域に対応する領域３ａと表示領域外に対応する領域３ｂの間に設けられ、当該タッチ操作領域に操作を行う操作物による領域間の移動を物理的に規制するガード４，４ａとを備える。
2014013587.tif 000002
【特許請求の範囲】
【請求項１】
表示部と、
前記表示部の表示面側に設けられ、当該表示部の表示領域よりも広いタッチ操作領域を有するタッチパネルと、
前記タッチ操作領域における前記表示領域に対応する領域と表示領域外に対応する領域の間に設けられ、当該タッチ操作領域に操作を行う操作物による領域間の移動を物理的に規制するガードとを備える表示装置。
【請求項２】
前記表示領域外に対応する領域は、第１の領域と第２の領域に分かれており、
前記ガードは、さらに前記第１の領域と前記第２の領域の間に設けられて、前記操作物による領域間の移動を物理的に規制することを特徴とする請求項１記載の表示装置。
【請求項３】
前記ガードは、タッチパネル面から突出した仕切り壁であることを特徴とする請求項１記載の表示装置。
【請求項４】
前記ガードは、タッチパネル面から背面側に向けて凹没した仕切り溝であることを特徴とする請求項１記載の表示装置。
【請求項５】
前記ガードは、ラバー状の材質からなることを特徴とする請求項１記載の表示装置。
【請求項６】
前記ガードは、透明または半透明であることを特徴とする請求項１記載の表示装置。
【請求項７】
前記ガードは、タッチパネル周辺の意匠と同一または類似の色または模様もしくはその両方であることを特徴とする請求項１記載の表示装置。
【請求項８】
前記タッチ操作領域における前記表示領域に対応する領域および前記表示領域外に対応する領域は、受け付け可能な操作入力の種類が一方の領域に対して他方の領域が制限されている、または、受け付け可能な操作入力の種類が互いに異なることを特徴とする請求項１記載の表示装置。
【請求項９】
前記タッチ操作領域における前記表示領域外に対応する領域は、前記表示領域に対応する領域よりも受け付け可能な操作入力の種類が制限されていることを特徴とする請求項８記載の表示装置。
【請求項１０】
前記タッチ操作領域における前記表示領域に対応する領域は、少なくとも前記操作物によるジェスチャー操作入力を受け付け、
前記表示領域外に対応する領域は、前記操作物によるタッチ操作入力を受け付けることを特徴とする請求項９記載の表示装置。
【請求項１１】
前記表示領域外に対応する領域における前記第１の領域および前記第２の領域は、受け付け可能な操作入力の種類が互いに異なることを特徴とする請求項２記載の表示装置。
【請求項１２】
前記第１の領域では、ジェスチャー操作入力を受け付け、
前記第２の領域では、タッチ操作入力を受け付けることを特徴とする請求項１１記載の表示装置。
【請求項１３】
前記表示領域外に対応する領域における前記第１の領域と前記第２の領域は、前記表示領域に対応する領域よりも受け付け可能な操作入力の種類が制限されていることを特徴とする請求項２記載の表示装置。
【請求項１４】
前記表示領域外に対応する領域における前記第１の領域と前記第２の領域、および前記表示領域に対応する領域は、受け付け可能な操作入力の種類が互いに異なることを特徴とする請求項２記載の表示装置。
【発明の詳細な説明】
【技術分野】
【０００１】
この発明は、タッチパネルを備える表示装置に関する。
【背景技術】
【０００２】
タッチパネルでは、様々な操作方法を受け付け、かつ操作可能な様々な操作項目を提示することができるが、ユーザが誤操作する可能性も高くなる。
例えば、同一のタッチ面に対する操作であるために、スクロール操作を行っていた指が隣接した別のアイコンを誤ってタッチしてしまうことがある。
従来では、上述のような誤操作を防止するためにタッチ操作領域上の所望の操作領域の周囲にタッチ無効領域を設ける技術が提案されている（例えば、特許文献１、２参照）。
【先行技術文献】
【特許文献】
【０００３】
【特許文献１】特開平２−１１２０１３号公報
【特許文献２】特開平９−３２５８５９号公報
【発明の概要】
【発明が解決しようとする課題】
【０００４】
従来の技術では、誤操作となり得る操作を受け付けないタッチ無効領域と、タッチ操作を受け付ける領域とが同一のタッチ面に設けられているので、タッチ面に沿って操作していた操作物がタッチ無効領域を越えてしまう可能性が高く、誤操作を十分に防止できないという課題があった。【０００５】
なお、近年では、表示領域に重畳したタッチ操作領域のみならず、表示領域外の部分についても操作に利用されるようになっている。例えば、タッチ操作領域を表示領域よりも広くし、タッチ操作領域の表示領域外に対応する領域に特定の操作を受け付ける操作部を形成した表示装置がある。【０００６】
上述した表示装置において、様々な操作項目が表示される表示領域に対応する領域の操作部と、特定の操作項目が固定的に提示される表示領域外に対応する領域の操作部を設けた場合に、例えば表示領域側でスクロール操作を行っていた指が表示領域外にはみ出して誤操作してしまう可能性がある。【０００７】
この発明は、上記のような課題を解決するためになされたもので、タッチパネルの誤操作を低減することができる表示装置を得ることを目的とする。
【課題を解決するための手段】
【０００８】
この発明に係る表示装置は、表示部と、表示部の表示面側に設けられ、当該表示部の表示領域よりも広いタッチ操作領域を有するタッチパネルと、タッチ操作領域における表示領域に対応する領域と表示領域外に対応する領域の間に設けられ、当該タッチ操作領域に操作を行う操作物による領域間の移動を物理的に規制するガードとを備える。
【発明の効果】
【０００９】
この発明によれば、タッチパネルの誤操作を低減することができるという効果がある。
【図面の簡単な説明】
【００１０】
【図１】この発明の実施の形態１に係る表示装置を示す図である。
【図２】実施の形態１に係る表示装置の別の態様を示す図である。
【図３】図２の表示装置におけるタッチパネル周辺構成の態様を示す図である。
【図４】この発明の実施の形態２に係る表示装置を示す図である。
【図５】実施の形態２に係る表示装置の別の態様を示す図である。
【図６】この発明の実施の形態３に係る表示装置を示す図である。
【発明を実施するための形態】
【００１１】
以下、この発明をより詳細に説明するため、この発明を実施するための形態について、添付の図面に従って説明する。
実施の形態１．
図１は、この発明の実施の形態１に係る表示装置を示す図であり、左側が表示装置１の正面図、右側がＡ−Ａ線で切った断面を概略的に示す断面矢示図である。
実施の形態１に係る表示装置１は、例えば、スマートフォンやタブレットＰＣ、ＰＮＤ（Ｐｏｒｔａｂｌｅ  Ｎａｖｉｇａｔｉｏｎ  Ｄｅｖｉｃｅ）などの情報処理機器に適用される。表示装置１の筐体ケース２は、図１に示すように、タッチパネル３を組み付ける表示面側が開口した箱状の筐体であり、液晶表示パネル５と内部回路６が収納される。
タッチパネル３は、例えば、スペーサ部材を介して２枚の透明電極を重ね合わせた構成を有しており、指などの操作物で押下して局部的に上下の透明電極が接触すると、押下位置の座標が検出されるようになっている。
【００１２】
表示装置１は、図１に示すようにタッチパネル３のタッチ操作領域（長手方向サイズａ）が表示領域より広く、表示領域に対応する領域３ａ（長手方向サイズｂ）と表示領域外に対応する領域３ｂ（長手方向サイズｃ）が形成されている。
領域３ａ，３ｂ間には、樹脂成形品などで形成されるガード４が設けられる。ガード４は、図１の断面に示すように、タッチパネル面から突出した仕切り壁となっており、タッチ操作領域に操作を行う操作物による領域３ａ，３ｂ間の移動を物理的に規制する。
例えば、領域３ａで操作を行う指が誤って領域３ｂへ向かったとしてもガード４に衝突するため、領域３ｂへ移動することが規制される。これによって、タッチパネル３の誤操作を低減することができる。
【００１３】
表示領域に対応する領域３ａでは、操作の内容を示すアイコン画像またはボタン画像（図１の例ではメールアイコン、カメラアイコン、電話のアイコン）が液晶表示パネル５の表示領域に表示される。これらのアイコン画像またはボタン画像は、操作物によって操作されると、その内容に応じた処理が実施される。
【００１４】
表示領域外に対応する領域３ｂの背面には、図１の断面に示すように非透光性の印刷を施した印刷部７が形成されている。印刷部７は、領域３ｂにおける操作の内容を示す記号または文字の部分の非透光性印刷が除かれているか、もしくは、記号または文字の部分の非透光性印刷を除いた後に透光性の印刷を施している。操作の内容を示す記号または文字の部分は、タッチパネル３の背面側に配置された光源からの光を透過して照明される。
なお、図１に示す例では、ガード４が、タッチパネル３を物理的に仕切っている。
すなわち、タッチパネル３は、ガード４を介して、領域３ａに対応するタッチパネル部３−１と領域３ｂに対応するタッチパネル部３−２とに分割されている。
【００１５】
図２は、実施の形態１に係る表示装置の別の態様を示す図であり、左側が表示装置１Ａではの正面図、右側がＢ−Ｂ線で切った断面を概略的に示す断面矢示図である。
図２に示す表示装置１Ａには、図１の構成と同様に、タッチ操作領域に操作を行う操作物による領域３ａ，３ｂ間の移動を物理的に規制する、仕切り壁のガード４ａが設けられている。ただし、ガード４ａは、図２の断面に示すように、タッチパネル３のタッチパネル面上に設けられており、タッチパネル３を分割しない。
このように構成することで、より簡易な構成とすることができる。例えば、図３に示すように、ガード４ａを形成したカバー８を、タッチパネル面上に貼り付けることにより表示装置１Ａを実現できる。
【００１６】
なお、ガード４，４ａをラバー状の材質で構成してもよい。この場合、指などの操作物は、タッチパネル面よりも高い摩擦力でガード４，４ａに接触する、いわゆる摩擦接触によって領域３ａ，３ｂ間の移動が規制される。これにより、操作物の移動をより的確に規制することが可能となる。
また、ガード４，４ａを透明または半透明としてもよい。このようにすることで、表示装置１，１Ａの表示面側の意匠に同化させることができる。
さらに、ガード４，４ａを、タッチパネル３周辺の意匠と同一または類似の色または模様とするか、もしくは、同一または類似の色および模様とすることで、表示装置１，１Ａの表示面側の意匠に同化させることができる。
【００１７】
表示装置１，１Ａを、領域３ａ，３ｂのうち、受け付け可能な操作入力の種類を一方の領域に対して他方の領域を制限するようにしてもよい。このように構成することにより、領域ごとに対応した種類の操作入力を行えばよく、操作の利便性を向上できる。
特に、領域３ａ，３ｂで受け付け可能な操作入力の種類が互いに異なるようにすれば、さらに利便性を向上させることが可能である。
【００１８】
操作入力の種類とは、タッチ操作領域に対する操作入力の種類であり、例えば、タッチ操作入力とジェスチャー操作入力がある。
タッチ操作入力には、例えばタップ、ダブルタップ、フリックなどがある。タップは、指でタッチパネル面を１回叩くような操作であり、ダブルタップは、タッチパネル面を２回叩くような操作である。また、フリックは、タッチパネル面上で指をはじくような操作である。
【００１９】
ジェスチャー操作入力には、例えばドラッグ、ピンチイン、ピンチアウト、手書きジェスチャーなどがある。ドラッグは、タッチパネル面から指を離さずに摺動させる操作であり、地図表示のスクロールなどに利用される。ピンチインは、タッチパネル面から指を離さずに、開いている指を閉じ合わせる操作である。反対に、ピンチアウトは、タッチパネル面から指を離さずに、閉じている指を開く操作である。これらの操作は、地図表示の拡大、縮小などに利用される。手書きジェスチャーは、タッチパネル面上で指でなぞられた文字などを認識する操作である。
【００２０】
また、表示領域外に対応する領域３ｂを、表示領域に対応する領域３ａよりも受け付け可能な操作入力の種類を制限するようにしてもよい。例えば、領域３ａでは、少なくとも操作物によるジェスチャー操作入力を受け付け、表示領域外に対応する領域３ｂでは、操作物によるタッチ操作入力を受け付けるように構成する。
このようにすることで、表示領域外に対応する領域３ｂは簡易な操作を受け付け可能となり、表示領域に対応する領域３ａでは複雑な操作も受け付けられる構成となる。
例えば、領域３ｂに特定の基本的な処理に関する操作を割り当てれば、これらを簡易な操作で実行することが可能となる。
【００２１】
以上のように、この実施の形態１によれば、液晶表示パネル５と、液晶表示パネル５の表示面側に設けられ、当該液晶表示パネル５の表示領域よりも広いタッチ操作領域を有するタッチパネル３と、タッチ操作領域における表示領域に対応する領域３ａと表示領域外に対応する領域３ｂの間に設けられ、当該タッチ操作領域に操作を行う操作物による領域間の移動を物理的に規制するガード４，４ａとを備える。
このように構成することで、領域３ａで操作を行っていた操作物が領域３ｂ側へ誤って移動することが規制されるため、タッチパネル３の誤操作を低減することができる。
【００２２】
また、この実施の形態１によれば、ガード４，４ａがタッチパネル面から突出した仕切り壁であるので、領域３ａ，３ｂ間の操作物の移動を的確に規制することができる。これによって、タッチパネル３の誤操作を低減することができる。
【００２３】
さらに、この実施の形態１によれば、ガード４，４ａがラバー状の材質からなるので、操作物の移動をより的確に規制することが可能となる。
【００２４】
さらに、この実施の形態１によれば、ガード４，４ａが透明または半透明であるので、表示装置１，１Ａの表示面側の意匠に同化させることができる。
【００２５】
さらに、この実施の形態１によれば、ガード４，４ａがタッチパネル３周辺の意匠と同一または類似の色または模様もしくはその両方であるので、表示装置１，１Ａの表示面側の意匠に同化させることができる。
【００２６】
さらに、この実施の形態１によれば、タッチ操作領域における表示領域に対応する領域３ａおよび表示領域外に対応する領域３ｂは、受け付け可能な操作入力の種類が一方の領域に対して他方の領域が制限されている、または、受け付け可能な操作入力の種類が互いに異なるので、領域ごとに対応した種類の操作入力を行えばよいことから、操作の利便性を向上できる。
【００２７】
さらに、この実施の形態１によれば、タッチ操作領域における表示領域外に対応する領域３ｂは、表示領域に対応する領域３ａよりも受け付け可能な操作入力の種類が制限されているので、操作の利便性を向上できる。
【００２８】
さらに、この実施の形態１によれば、さらに、この実施の形態１によれば、タッチ操作領域における表示領域に対応する領域３ａが、少なくとも操作物によるジェスチャー操作入力を受け付け、表示領域外に対応する領域３ｂが、操作物によるタッチ操作入力を受け付けるので、操作の利便性を向上できる。
【００２９】
実施の形態２．
図４は、この発明の実施の形態２に係る表示装置を示す図であり、左側が表示装置１Ｂの正面図、右側がＣ−Ｃ線で切った断面を概略的に示す断面矢示図である。
図４に示す表示装置１Ｂには、タッチパネル面から背面側に向けて凹没した仕切り溝のガード９が設けられている。
なお、ガード９はタッチパネル３を物理的に仕切っている。すなわち、タッチパネル３は、ガード９を介して領域３ａに対応するタッチパネル部３−１と領域３ｂに対応するタッチパネル部３−２とに分割されている。
このガード９も、タッチ操作領域に操作を行う操作物による領域３ａ，３ｂ間の移動を物理的に規制する。例えば、領域３ａで操作を行う指が誤って領域３ｂへ向かったとしてもガード９に嵌まって領域３ｂへ移動することが規制される。これにより、タッチパネル３の誤操作を低減することができる。
【００３０】
図５は、実施の形態２に係る表示装置の別の態様を示す図であり、左側が表示装置１Ｃの正面図、右側がＤ−Ｄ線で切った断面を概略的に示す断面矢示図である。
図５に示す表示装置１Ｃには、図４の構成と同様に、タッチ操作領域に操作を行う操作物による領域３ａ，３ｂ間の移動を物理的に規制する仕切り溝のガード９ａが設けられている。ただし、ガード９ａは、図５の断面に示すようにタッチパネル３自体の凹所により構成されており、タッチパネル３を分割しない。このように構成することで、より簡易な構成とすることができる。
【００３１】
表示装置１Ｂ，１Ｃにおいても、領域３ａ，３ｂのうち、受け付け可能な操作入力の種類を一方の領域に対して他方の領域を制限するように構成してもよい。このようにすることで、領域ごとに対応した種類の操作入力を行えばよく、操作の利便性を向上できる。
特に、領域３ａ，３ｂで受け付け可能な操作入力の種類が互いに異なるようにすれば、さらに利便性を向上させることが可能である。
【００３２】
また、表示装置１Ｂ，１Ｃにおいても、表示領域外に対応する領域３ｂを、表示領域に対応する領域３ａよりも受け付け可能な操作入力の種類を制限するようにしてもよい。
例えば、領域３ａでは、少なくとも操作物によるジェスチャー操作入力を受け付け、表示領域外に対応する領域３ｂでは、操作物によるタッチ操作入力を受け付けるように構成する。このようにすることで、表示領域外に対応する領域３ｂは簡易な操作を受け付け可能となり、表示領域に対応する領域３ａでは複雑な操作も受け付けられる構成となる。
例えば、領域３ｂに特定の基本的な処理に関する操作を割り当てれば、これらを簡易な操作で実行することが可能となる。
【００３３】
以上のように、この実施の形態２によれば、ガード９，９ａが、タッチパネル面から背面側に向けて凹没した仕切り溝であるので、上記実施の形態１と同様の効果を得ることができる。
【００３４】
実施の形態３．
図６は、この発明の実施の形態３に係る表示装置を示す図である。図６に示す表示装置１Ｄでは、表示領域外に対応する領域３ｂが第１の領域３ｂ−１と第２の領域３ｂ−２に分かれており、領域３ｂ−１，３ｂ−２間にガード４ｂが設けられている。なお、図６の例では、上記実施の形態１と同様に、領域３ａ，３ｂ間にもガード４が設けられている。
ガード４ｂは、指などの操作物による領域３ｂ−１，３ｂ−２間の移動を物理的に規制する仕切り壁のガードである。
例えば、領域３ｂ−１で操作を行う指が誤って領域３ｂ−２へ向かったとしてもガード４ｂに衝突するため、領域３ｂ−２へ移動することが規制される。これによって、タッチパネル３の誤操作を低減することができる。
【００３５】
また、ガード４ｂを上記実施の形態２と同様に仕切り溝として構成してもよい。
このように構成しても、操作物による領域３ｂ−１，３ｂ−２間の移動を物理的に規制することができる。例えば、領域３ｂ−１で操作を行う指が誤って領域３ｂ−２へ向かったとしてもガード４ｂに嵌まって領域３ｂ−２へ移動することが規制される。
【００３６】
なお、領域３ｂ−１，３ｂ−２で受け付け可能な操作入力の種類が互いに異なるようにしてもよい。例えば、第１の領域３ｂ−１ではジェスチャー操作入力を受け付け、第２の領域３ｂ−２ではタッチ操作入力を受け付ける。このようにすることで、領域３ｂ−１，３ｂ−２ごとに対応する操作を行えばよいことから、操作の利便性を向上させることが可能である。
【００３７】
第１の領域３ｂ−１と第２の領域３ｂ−２において受け付け可能な操作入力の種類を、表示領域に対応する領域３ａよりも制限してもよい。このようにすることでも、領域ごとに対応した種類の操作入力を行えばよく、操作の利便性を向上できる。
特に、第１の領域３ｂ−１、第２の領域３ｂ−２および領域３ａで受け付け可能な操作入力の種類が互いに異なるようにすれば、さらに利便性を向上できる。
【００３８】
以上のように、この実施の形態３によれば、表示領域外に対応する領域３ｂが第１の領域３ｂ−１と第２の領域３ｂ−２に分かれており、ガード４ｂが、さらに第１の領域３ｂ−１と第２の領域３ｂ−２の間に設けられて、操作物による領域間の移動を物理的に規制するので、表示領域外に対応する領域３ｂにおける誤操作を低減することができる。
【００３９】
また、この実施の形態３によれば、表示領域外に対応する領域３ｂにおける第１の領域３ｂ−１および第２の領域３ｂ−２は、受け付け可能な操作入力の種類が互いに異なるので、領域３ｂ−１，３ｂ−２ごとに対応する操作を行えばよいことから、操作の利便性を向上させることが可能である。
【００４０】
さらに、第１の領域３ｂ−１では、ジェスチャー操作入力を受け付け、第２の領域３ｂ−２では、タッチ操作入力を受け付けるので、操作の利便性を向上させることが可能である。
【００４１】
さらに、この実施の形態３によれば、表示領域外に対応する領域３ｂにおける第１の領域３ｂ−１と第２の領域３ｂ−２は、表示領域に対応する領域３ａよりも受け付け可能な操作入力の種類が制限されているので、領域ごとに対応した操作を行えばよく、操作の利便性を向上できる。
【００４２】
さらに、この実施の形態３によれば、表示領域外に対応する領域３ｂにおける第１の領域３ｂ−１と第２の領域３ｂ−２、および表示領域に対応する領域３ａは、受け付け可能な操作入力の種類が互いに異なるので、操作の利便性を向上できる。
【００４３】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００４４】
この発明に係る表示装置は、タッチパネルの誤操作を低減することができるので、走行中など、操作に注力できない環境におかれる車載用情報機器の表示装置に好適である。
【符号の説明】
【００４５】
１，１Ａ〜１Ｄ  表示装置、２  筐体ケース、３  タッチパネル、３−１，３−２  タッチパネル部、３ａ  表示領域に対応する領域、３ｂ  表示領域外に対応する領域、３ｂ−１  第１の領域、３ｂ−２  第２の領域、４，４ａ，４ｂ，９，９ａ  ガード、５  液晶表示パネル、６  内部回路、７  印刷部、８  カバー。
【図１】
2014013587.tif 000003
【図２】
2014013587.tif 000004
【図３】
2014013587.tif 000005
【図４】
2014013587.tif 000006
【図５】
2014013587.tif 000007
【図６】
2014013587.tif 000008
【手続補正書】
【提出日】平成26年7月28日(2014.7.28)
【手続補正１】
【補正対象書類名】明細書
【補正対象項目名】全文
【補正方法】変更
【補正の内容】
【発明の詳細な説明】
【技術分野】
【０００１】
この発明は、タッチパネルを備える表示装置に関する。
【背景技術】
【０００２】
タッチパネルでは、様々な操作方法を受け付け、かつ操作可能な様々な操作項目を提示することができるが、ユーザが誤操作する可能性も高くなる。
例えば、同一のタッチ面に対する操作であるために、スクロール操作を行っていた指が隣接した別のアイコンを誤ってタッチしてしまうことがある。
従来では、上述のような誤操作を防止するためにタッチ操作領域上の所望の操作領域の周囲にタッチ無効領域を設ける技術が提案されている（例えば、特許文献１、２参照）。
【先行技術文献】
【特許文献】
【０００３】
【特許文献１】特開平２−１１２０１３号公報
【特許文献２】特開平９−３２５８５９号公報
【発明の概要】
【発明が解決しようとする課題】
【０００４】
従来の技術では、誤操作となり得る操作を受け付けないタッチ無効領域と、タッチ操作を受け付ける領域とが同一のタッチ面に設けられているので、タッチ面に沿って操作していた操作物がタッチ無効領域を越えてしまう可能性が高く、誤操作を十分に防止できないという課題があった。
【０００５】
なお、近年では、表示領域に重畳したタッチ操作領域のみならず、表示領域外の部分についても操作に利用されるようになっている。例えば、タッチ操作領域を表示領域よりも広くし、タッチ操作領域の表示領域外に対応する領域に特定の操作を受け付ける操作部を形成した表示装置がある。
【０００６】
上述した表示装置において、様々な操作項目が表示される表示領域に対応する領域の操作部と、特定の操作項目が固定的に提示される表示領域外に対応する領域の操作部を設けた場合に、例えば表示領域側でスクロール操作を行っていた指が表示領域外にはみ出して誤操作してしまう可能性がある。
【０００７】
この発明は、上記のような課題を解決するためになされたもので、タッチパネルの誤操作を低減することができる表示装置を得ることを目的とする。
【課題を解決するための手段】
【０００８】
この発明に係る表示装置は、表示部と、表示部の表示面側に設けられ、当該表示部の表示領域よりも広いタッチ操作領域を有するタッチパネルと、タッチ操作領域における表示領域に対応する領域と表示領域外に対応する領域の間に設けられ、当該タッチ操作領域に操作を行う操作物による領域間の移動を物理的に規制するガードとを備え、表示領域外に対応する領域は、第１の領域と第２の領域に分かれており、ガードは、さらに第１の領域と第２の領域の間に設けられて、操作物による領域間の移動を物理的に規制し、表示領域外に対応する領域における第１の領域および第２の領域は、受け付け可能な操作入力の種類が互いに異なるものである。
【発明の効果】
【０００９】
この発明によれば、タッチパネルの誤操作を低減することができるという効果がある。
【図面の簡単な説明】
【００１０】
【図１】この発明の実施の形態１に係る表示装置を示す図である。
【図２】実施の形態１に係る表示装置の別の態様を示す図である。
【図３】図２の表示装置におけるタッチパネル周辺構成の態様を示す図である。
【図４】この発明の実施の形態２に係る表示装置を示す図である。
【図５】実施の形態２に係る表示装置の別の態様を示す図である。
【図６】この発明の実施の形態３に係る表示装置を示す図である。
【発明を実施するための形態】
【００１１】
実施の形態１．
図１は、この発明の実施の形態１に係る表示装置を示す図であり、左側が表示装置１の正面図、右側がＡ−Ａ線で切った断面を概略的に示す断面矢示図である。
実施の形態１に係る表示装置１は、例えば、スマートフォンやタブレットＰＣ、ＰＮＤ（Ｐｏｒｔａｂｌｅ  Ｎａｖｉｇａｔｉｏｎ  Ｄｅｖｉｃｅ）などの情報処理機器に適用される。表示装置１の筐体ケース２は、図１に示すように、タッチパネル３を組み付ける表示面側が開口した箱状の筐体であり、液晶表示パネル５と内部回路６が収納される。
タッチパネル３は、例えば、スペーサ部材を介して２枚の透明電極を重ね合わせた構成を有しており、指などの操作物で押下して局部的に上下の透明電極が接触すると、押下位置の座標が検出されるようになっている。
【００１２】
表示装置１は、図１に示すようにタッチパネル３のタッチ操作領域（長手方向サイズａ）が表示領域より広く、表示領域に対応する領域３ａ（長手方向サイズｂ）と表示領域外に対応する領域３ｂ（長手方向サイズｃ）が形成されている。
領域３ａ，３ｂ間には、樹脂成形品などで形成されるガード４が設けられる。ガード４は、図１の断面に示すように、タッチパネル面から突出した仕切り壁となっており、タッチ操作領域に操作を行う操作物による領域３ａ，３ｂ間の移動を物理的に規制する。
例えば、領域３ａで操作を行う指が誤って領域３ｂへ向かったとしてもガード４に衝突するため、領域３ｂへ移動することが規制される。これによって、タッチパネル３の誤操作を低減することができる。
【００１３】
表示領域に対応する領域３ａでは、操作の内容を示すアイコン画像またはボタン画像（図１の例ではメールアイコン、カメラアイコン、電話のアイコン）が液晶表示パネル５の表示領域に表示される。これらのアイコン画像またはボタン画像は、操作物によって操作されると、その内容に応じた処理が実施される。
【００１４】
表示領域外に対応する領域３ｂの背面には、図１の断面に示すように非透光性の印刷を施した印刷部７が形成されている。印刷部７は、領域３ｂにおける操作の内容を示す記号または文字の部分の非透光性印刷が除かれているか、もしくは、記号または文字の部分の非透光性印刷を除いた後に透光性の印刷を施している。操作の内容を示す記号または文字の部分は、タッチパネル３の背面側に配置された光源からの光を透過して照明される。
なお、図１に示す例では、ガード４が、タッチパネル３を物理的に仕切っている。
すなわち、タッチパネル３は、ガード４を介して、領域３ａに対応するタッチパネル部３−１と領域３ｂに対応するタッチパネル部３−２とに分割されている。
【００１５】
図２は、実施の形態１に係る表示装置の別の態様を示す図であり、左側が表示装置１Ａではの正面図、右側がＢ−Ｂ線で切った断面を概略的に示す断面矢示図である。
図２に示す表示装置１Ａには、図１の構成と同様に、タッチ操作領域に操作を行う操作物による領域３ａ，３ｂ間の移動を物理的に規制する、仕切り壁のガード４ａが設けられている。ただし、ガード４ａは、図２の断面に示すように、タッチパネル３のタッチパネル面上に設けられており、タッチパネル３を分割しない。
このように構成することで、より簡易な構成とすることができる。例えば、図３に示すように、ガード４ａを形成したカバー８を、タッチパネル面上に貼り付けることにより表示装置１Ａを実現できる。
【００１６】
なお、ガード４，４ａをラバー状の材質で構成してもよい。この場合、指などの操作物は、タッチパネル面よりも高い摩擦力でガード４，４ａに接触する、いわゆる摩擦接触によって領域３ａ，３ｂ間の移動が規制される。これにより、操作物の移動をより的確に規制することが可能となる。
また、ガード４，４ａを透明または半透明としてもよい。このようにすることで、表示装置１，１Ａの表示面側の意匠に同化させることができる。
さらに、ガード４，４ａを、タッチパネル３周辺の意匠と同一または類似の色または模様とするか、もしくは、同一または類似の色および模様とすることで、表示装置１，１Ａの表示面側の意匠に同化させることができる。
【００１７】
表示装置１，１Ａを、領域３ａ，３ｂのうち、受け付け可能な操作入力の種類を一方の領域に対して他方の領域を制限するようにしてもよい。このように構成することにより、領域ごとに対応した種類の操作入力を行えばよく、操作の利便性を向上できる。
特に、領域３ａ，３ｂで受け付け可能な操作入力の種類が互いに異なるようにすれば、さらに利便性を向上させることが可能である。
【００１８】
操作入力の種類とは、タッチ操作領域に対する操作入力の種類であり、例えば、タッチ操作入力とジェスチャー操作入力がある。
タッチ操作入力には、例えばタップ、ダブルタップ、フリックなどがある。タップは、指でタッチパネル面を１回叩くような操作であり、ダブルタップは、タッチパネル面を２回叩くような操作である。また、フリックは、タッチパネル面上で指をはじくような操作である。
【００１９】
ジェスチャー操作入力には、例えばドラッグ、ピンチイン、ピンチアウト、手書きジェスチャーなどがある。ドラッグは、タッチパネル面から指を離さずに摺動させる操作であり、地図表示のスクロールなどに利用される。ピンチインは、タッチパネル面から指を離さずに、開いている指を閉じ合わせる操作である。反対に、ピンチアウトは、タッチパネル面から指を離さずに、閉じている指を開く操作である。これらの操作は、地図表示の拡大、縮小などに利用される。手書きジェスチャーは、タッチパネル面上で指でなぞられた文字などを認識する操作である。
【００２０】
また、表示領域外に対応する領域３ｂを、表示領域に対応する領域３ａよりも受け付け可能な操作入力の種類を制限するようにしてもよい。例えば、領域３ａでは、少なくとも操作物によるジェスチャー操作入力を受け付け、表示領域外に対応する領域３ｂでは、操作物によるタッチ操作入力を受け付けるように構成する。
このようにすることで、表示領域外に対応する領域３ｂは簡易な操作を受け付け可能となり、表示領域に対応する領域３ａでは複雑な操作も受け付けられる構成となる。
例えば、領域３ｂに特定の基本的な処理に関する操作を割り当てれば、これらを簡易な操作で実行することが可能となる。
【００２１】
以上のように、この実施の形態１によれば、液晶表示パネル５と、液晶表示パネル５の表示面側に設けられ、当該液晶表示パネル５の表示領域よりも広いタッチ操作領域を有するタッチパネル３と、タッチ操作領域における表示領域に対応する領域３ａと表示領域外に対応する領域３ｂの間に設けられ、当該タッチ操作領域に操作を行う操作物による領域間の移動を物理的に規制するガード４，４ａとを備える。
このように構成することで、領域３ａで操作を行っていた操作物が領域３ｂ側へ誤って移動することが規制されるため、タッチパネル３の誤操作を低減することができる。
【００２２】
また、この実施の形態１によれば、ガード４，４ａがタッチパネル面から突出した仕切り壁であるので、領域３ａ，３ｂ間の操作物の移動を的確に規制することができる。これによって、タッチパネル３の誤操作を低減することができる。
【００２３】
さらに、この実施の形態１によれば、ガード４，４ａがラバー状の材質からなるので、操作物の移動をより的確に規制することが可能となる。
【００２４】
さらに、この実施の形態１によれば、ガード４，４ａが透明または半透明であるので、表示装置１，１Ａの表示面側の意匠に同化させることができる。
【００２５】
さらに、この実施の形態１によれば、ガード４，４ａがタッチパネル３周辺の意匠と同一または類似の色または模様もしくはその両方であるので、表示装置１，１Ａの表示面側の意匠に同化させることができる。
【００２６】
さらに、この実施の形態１によれば、タッチ操作領域における表示領域に対応する領域３ａおよび表示領域外に対応する領域３ｂは、受け付け可能な操作入力の種類が一方の領域に対して他方の領域が制限されている、または、受け付け可能な操作入力の種類が互いに異なるので、領域ごとに対応した種類の操作入力を行えばよいことから、操作の利便性を向上できる。
【００２７】
さらに、この実施の形態１によれば、タッチ操作領域における表示領域外に対応する領域３ｂは、表示領域に対応する領域３ａよりも受け付け可能な操作入力の種類が制限されているので、操作の利便性を向上できる。
【００２８】
さらに、この実施の形態１によれば、さらに、この実施の形態１によれば、タッチ操作領域における表示領域に対応する領域３ａが、少なくとも操作物によるジェスチャー操作入力を受け付け、表示領域外に対応する領域３ｂが、操作物によるタッチ操作入力を受け付けるので、操作の利便性を向上できる。
【００２９】
実施の形態２．
図４は、この発明の実施の形態２に係る表示装置を示す図であり、左側が表示装置１Ｂの正面図、右側がＣ−Ｃ線で切った断面を概略的に示す断面矢示図である。
図４に示す表示装置１Ｂには、タッチパネル面から背面側に向けて凹没した仕切り溝のガード９が設けられている。
なお、ガード９はタッチパネル３を物理的に仕切っている。すなわち、タッチパネル３は、ガード９を介して領域３ａに対応するタッチパネル部３−１と領域３ｂに対応するタッチパネル部３−２とに分割されている。
このガード９も、タッチ操作領域に操作を行う操作物による領域３ａ，３ｂ間の移動を物理的に規制する。例えば、領域３ａで操作を行う指が誤って領域３ｂへ向かったとしてもガード９に嵌まって領域３ｂへ移動することが規制される。これにより、タッチパネル３の誤操作を低減することができる。
【００３０】
図５は、実施の形態２に係る表示装置の別の態様を示す図であり、左側が表示装置１Ｃの正面図、右側がＤ−Ｄ線で切った断面を概略的に示す断面矢示図である。
図５に示す表示装置１Ｃには、図４の構成と同様に、タッチ操作領域に操作を行う操作物による領域３ａ，３ｂ間の移動を物理的に規制する仕切り溝のガード９ａが設けられている。ただし、ガード９ａは、図５の断面に示すようにタッチパネル３自体の凹所により構成されており、タッチパネル３を分割しない。このように構成することで、より簡易な構成とすることができる。
【００３１】
表示装置１Ｂ，１Ｃにおいても、領域３ａ，３ｂのうち、受け付け可能な操作入力の種類を一方の領域に対して他方の領域を制限するように構成してもよい。このようにすることで、領域ごとに対応した種類の操作入力を行えばよく、操作の利便性を向上できる。
特に、領域３ａ，３ｂで受け付け可能な操作入力の種類が互いに異なるようにすれば、さらに利便性を向上させることが可能である。
【００３２】
また、表示装置１Ｂ，１Ｃにおいても、表示領域外に対応する領域３ｂを、表示領域に対応する領域３ａよりも受け付け可能な操作入力の種類を制限するようにしてもよい。
例えば、領域３ａでは、少なくとも操作物によるジェスチャー操作入力を受け付け、表示領域外に対応する領域３ｂでは、操作物によるタッチ操作入力を受け付けるように構成する。このようにすることで、表示領域外に対応する領域３ｂは簡易な操作を受け付け可能となり、表示領域に対応する領域３ａでは複雑な操作も受け付けられる構成となる。
例えば、領域３ｂに特定の基本的な処理に関する操作を割り当てれば、これらを簡易な操作で実行することが可能となる。
【００３３】
以上のように、この実施の形態２によれば、ガード９，９ａが、タッチパネル面から背面側に向けて凹没した仕切り溝であるので、上記実施の形態１と同様の効果を得ることができる。
【００３４】
実施の形態３．
図６は、この発明の実施の形態３に係る表示装置を示す図である。図６に示す表示装置１Ｄでは、表示領域外に対応する領域３ｂが第１の領域３ｂ−１と第２の領域３ｂ−２に分かれており、領域３ｂ−１，３ｂ−２間にガード４ｂが設けられている。なお、図６の例では、上記実施の形態１と同様に、領域３ａ，３ｂ間にもガード４が設けられている。
ガード４ｂは、指などの操作物による領域３ｂ−１，３ｂ−２間の移動を物理的に規制する仕切り壁のガードである。
例えば、領域３ｂ−１で操作を行う指が誤って領域３ｂ−２へ向かったとしてもガード４ｂに衝突するため、領域３ｂ−２へ移動することが規制される。これによって、タッチパネル３の誤操作を低減することができる。
【００３５】
また、ガード４ｂを上記実施の形態２と同様に仕切り溝として構成してもよい。
このように構成しても、操作物による領域３ｂ−１，３ｂ−２間の移動を物理的に規制することができる。例えば、領域３ｂ−１で操作を行う指が誤って領域３ｂ−２へ向かったとしてもガード４ｂに嵌まって領域３ｂ−２へ移動することが規制される。
【００３６】
なお、領域３ｂ−１，３ｂ−２で受け付け可能な操作入力の種類が互いに異なるようにしてもよい。例えば、第１の領域３ｂ−１ではジェスチャー操作入力を受け付け、第２の領域３ｂ−２ではタッチ操作入力を受け付ける。このようにすることで、領域３ｂ−１，３ｂ−２ごとに対応する操作を行えばよいことから、操作の利便性を向上させることが可能である。
【００３７】
第１の領域３ｂ−１と第２の領域３ｂ−２において受け付け可能な操作入力の種類を、表示領域に対応する領域３ａよりも制限してもよい。このようにすることでも、領域ごとに対応した種類の操作入力を行えばよく、操作の利便性を向上できる。
特に、第１の領域３ｂ−１、第２の領域３ｂ−２および領域３ａで受け付け可能な操作入力の種類が互いに異なるようにすれば、さらに利便性を向上できる。
【００３８】
以上のように、この実施の形態３によれば、表示領域外に対応する領域３ｂが第１の領域３ｂ−１と第２の領域３ｂ−２に分かれており、ガード４ｂが、さらに第１の領域３ｂ−１と第２の領域３ｂ−２の間に設けられて、操作物による領域間の移動を物理的に規制するので、表示領域外に対応する領域３ｂにおける誤操作を低減することができる。
【００３９】
また、この実施の形態３によれば、表示領域外に対応する領域３ｂにおける第１の領域３ｂ−１および第２の領域３ｂ−２は、受け付け可能な操作入力の種類が互いに異なるので、領域３ｂ−１，３ｂ−２ごとに対応する操作を行えばよいことから、操作の利便性を向上させることが可能である。
【００４０】
さらに、第１の領域３ｂ−１では、ジェスチャー操作入力を受け付け、第２の領域３ｂ−２では、タッチ操作入力を受け付けるので、操作の利便性を向上させることが可能である。
【００４１】
さらに、この実施の形態３によれば、表示領域外に対応する領域３ｂにおける第１の領域３ｂ−１と第２の領域３ｂ−２は、表示領域に対応する領域３ａよりも受け付け可能な操作入力の種類が制限されているので、領域ごとに対応した操作を行えばよく、操作の利便性を向上できる。
【００４２】
さらに、この実施の形態３によれば、表示領域外に対応する領域３ｂにおける第１の領域３ｂ−１と第２の領域３ｂ−２、および表示領域に対応する領域３ａは、受け付け可能な操作入力の種類が互いに異なるので、操作の利便性を向上できる。
【００４３】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４４】
１，１Ａ〜１Ｄ  表示装置、２  筐体ケース、３  タッチパネル、３−１，３−２  タッチパネル部、３ａ  表示領域に対応する領域、３ｂ  表示領域外に対応する領域、３ｂ−１  第１の領域、３ｂ−２  第２の領域、４，４ａ，４ｂ，９，９ａ  ガード、５  液晶表示パネル、６  内部回路、７  印刷部、８  カバー。
【手続補正２】
【補正対象書類名】特許請求の範囲
【補正対象項目名】全文
【補正方法】変更
【補正の内容】
【特許請求の範囲】
【請求項１】
表示部と、
前記表示部の表示面側に設けられ、当該表示部の表示領域よりも広いタッチ操作領域を有するタッチパネルと、
前記タッチ操作領域における前記表示領域に対応する領域と表示領域外に対応する領域の間に設けられ、当該タッチ操作領域に操作を行う操作物による領域間の移動を物理的に規制するガードとを備え、
前記表示領域外に対応する領域は、第１の領域と第２の領域に分かれており、
前記ガードは、さらに前記第１の領域と前記第２の領域の間に設けられて、前記操作物による領域間の移動を物理的に規制し、
前記表示領域外に対応する領域における前記第１の領域および前記第２の領域は、受け付け可能な操作入力の種類が互いに異なる
ことを特徴とする表示装置。
【請求項２】
前記第１の領域では、ジェスチャー操作入力を受け付け、
前記第２の領域では、タッチ操作入力を受け付ける
ことを特徴とする請求項１記載の表示装置。
【請求項３】
前記表示領域外に対応する領域における前記第１の領域と前記第２の領域は、前記表示領域に対応する領域よりも受け付け可能な操作入力の種類が制限されていることを特徴とする請求項１記載の表示装置。
【請求項４】
前記表示領域外に対応する領域における前記第１の領域と前記第２の領域、および前記表示領域に対応する領域は、受け付け可能な操作入力の種類が互いに異なることを特徴とする請求項１記載の表示装置。
【請求項５】
前記ガードは、タッチパネル面から突出した仕切り壁であることを特徴とする請求項１記載の表示装置。
【請求項６】
前記ガードは、タッチパネル面から背面側に向けて凹没した仕切り溝であることを特徴とする請求項１記載の表示装置。
【請求項７】
前記ガードは、ラバー状の材質からなることを特徴とする請求項１記載の表示装置。
【請求項８】
前記ガードは、透明または半透明であることを特徴とする請求項１記載の表示装置。
【請求項９】
前記ガードは、タッチパネル周辺の意匠と同一または類似の色または模様もしくはその両方であることを特徴とする請求項１記載の表示装置。
【請求項１０】
前記タッチ操作領域における前記表示領域に対応する領域および前記表示領域外に対応する領域は、受け付け可能な操作入力の種類が一方の領域に対して他方の領域が制限されている、または、受け付け可能な操作入力の種類が互いに異なることを特徴とする請求項１記載の表示装置。
【請求項１１】
前記タッチ操作領域における前記表示領域外に対応する領域は、前記表示領域に対応する領域よりも受け付け可能な操作入力の種類が制限されていることを特徴とする請求項１０記載の表示装置。
【請求項１２】
前記タッチ操作領域における前記表示領域に対応する領域は、少なくとも前記操作物によるジェスチャー操作入力を受け付け、
前記表示領域外に対応する領域は、前記操作物によるタッチ操作入力を受け付ける
ことを特徴とする請求項１１記載の表示装置。
【請求項１３】
表示部と、
前記表示部の表示面側に設けられ、当該表示部の表示領域よりも広いタッチ操作領域を有するタッチパネルと、
前記タッチ操作領域における前記表示領域に対応する領域と表示領域外に対応する領域の間に設けられ、当該タッチ操作領域に操作を行う操作物による領域間の移動を物理的に規制するガードとを備え、
前記表示領域外に対応する領域は、第１の領域と第２の領域に分かれており、
前記ガードは、さらに前記第１の領域と前記第２の領域の間に設けられて、前記操作物による領域間の移動を物理的に規制し、
前記表示領域外に対応する領域における前記第１の領域と前記第２の領域は、前記表示領域に対応する領域よりも受け付け可能な操作入力の種類が制限されている
ことを特徴とする表示装置。
【請求項１４】
前記ガードは、タッチパネル面から突出した仕切り壁であることを特徴とする請求項１３記載の表示装置。
【請求項１５】
前記ガードは、タッチパネル面から背面側に向けて凹没した仕切り溝であることを特徴とする請求項１３記載の表示装置。
【請求項１６】
前記ガードは、ラバー状の材質からなることを特徴とする請求項１３記載の表示装置。
【請求項１７】
前記ガードは、透明または半透明であることを特徴とする請求項１３記載の表示装置。
【請求項１８】
前記ガードは、タッチパネル周辺の意匠と同一または類似の色または模様もしくはその両方であることを特徴とする請求項１３記載の表示装置。
【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
表示部と、
前記表示部の表示面側に設けられ、当該表示部の表示領域よりも広いタッチ操作領域を有するタッチパネルと、
前記タッチ操作領域における前記表示領域に対応する領域と表示領域外に対応する領域の間に設けられ、当該タッチ操作領域に操作を行う操作物による領域間の移動を物理的に規制するガードとを備え、
前記表示領域外に対応する領域は、第１の領域と第２の領域に分かれており、
前記ガードは、さらに前記第１の領域と前記第２の領域の間に設けられて、前記操作物による領域間の移動を物理的に規制し、
前記表示領域外に対応する領域における前記第１の領域および前記第２の領域は、受け付け可能な操作入力の種類が互いに異なる
ことを特徴とする表示装置。
【請求項２】
前記第１の領域では、ジェスチャー操作入力を受け付け、
前記第２の領域では、タッチ操作入力を受け付ける
ことを特徴とする請求項１記載の表示装置。
【請求項３】
前記表示領域外に対応する領域における前記第１の領域と前記第２の領域は、前記表示領域に対応する領域よりも受け付け可能な操作入力の種類が制限されていることを特徴とする請求項１記載の表示装置。
【請求項４】
前記表示領域外に対応する領域における前記第１の領域と前記第２の領域、および前記表示領域に対応する領域は、受け付け可能な操作入力の種類が互いに異なることを特徴とする請求項１記載の表示装置。
【請求項５】
前記ガードは、タッチパネル面から突出した仕切り壁であることを特徴とする請求項１記載の表示装置。
【請求項６】
前記ガードは、タッチパネル面から背面側に向けて凹没した仕切り溝であることを特徴とする請求項１記載の表示装置。
【請求項７】
前記ガードは、ラバー状の材質からなることを特徴とする請求項１記載の表示装置。
【請求項８】
前記ガードは、透明または半透明であることを特徴とする請求項１記載の表示装置。
【請求項９】
前記ガードは、タッチパネル周辺の意匠と同一または類似の色または模様もしくはその両方であることを特徴とする請求項１記載の表示装置。
【請求項１０】
前記タッチ操作領域における前記表示領域に対応する領域および前記表示領域外に対応する領域は、受け付け可能な操作入力の種類が一方の領域に対して他方の領域が制限されている、または、受け付け可能な操作入力の種類が互いに異なることを特徴とする請求項１記載の表示装置。
【請求項１１】
前記タッチ操作領域における前記表示領域外に対応する領域は、前記表示領域に対応する領域よりも受け付け可能な操作入力の種類が制限されていることを特徴とする請求項１０記載の表示装置。
【請求項１２】
前記タッチ操作領域における前記表示領域に対応する領域は、少なくとも前記操作物によるジェスチャー操作入力を受け付け、
前記表示領域外に対応する領域は、前記操作物によるタッチ操作入力を受け付ける
ことを特徴とする請求項１１記載の表示装置。
【請求項１３】
表示部と、
前記表示部の表示面側に設けられ、当該表示部の表示領域よりも広いタッチ操作領域を有するタッチパネルと、
前記タッチ操作領域における前記表示領域に対応する領域と表示領域外に対応する領域の間に設けられ、当該タッチ操作領域に操作を行う操作物による領域間の移動を物理的に規制するガードとを備え、
前記表示領域外に対応する領域は、第１の領域と第２の領域に分かれており、
前記ガードは、さらに前記第１の領域と前記第２の領域の間に設けられて、前記操作物による領域間の移動を物理的に規制し、
前記表示領域外に対応する領域における前記第１の領域と前記第２の領域は、受け付け可能な操作入力の種類が互いに異なり、前記表示領域に対応する領域よりも受け付け可能な操作入力の種類が制限されている
ことを特徴とする表示装置。
【請求項１４】
前記ガードは、タッチパネル面から突出した仕切り壁であることを特徴とする請求項１３記載の表示装置。
【請求項１５】
前記ガードは、タッチパネル面から背面側に向けて凹没した仕切り溝であることを特徴とする請求項１３記載の表示装置。
【請求項１６】
前記ガードは、ラバー状の材質からなることを特徴とする請求項１３記載の表示装置。
【請求項１７】
前記ガードは、透明または半透明であることを特徴とする請求項１３記載の表示装置。
【請求項１８】
前記ガードは、タッチパネル周辺の意匠と同一または類似の色または模様もしくはその両方であることを特徴とする請求項１３記載の表示装置。
【国際調査報告】
2014013587.tif 000009
2014013587.tif 000010
2014013587.tif 000011